(57)【要約】【課題】係員の誤操作が障害を発生させた取引の直後に発生していない場合であっても、現金違算の原因を容易に追求することができるようにする。【解決手段】実行された取引の取引履歴情報の金種別枚数と、該取引を構成する搬送元履歴情報の金種別枚数と、該取引を構成する搬送先履歴情報の金種別枚数とを比較し、一致しない取引を抽出する。抽出されたその取引の後に行なわれ、戻入入金取引の金種別枚数および／または手許入金取引の金種別枚数を前記取引履歴情報から抽出して合算し、その合算された金種別枚数が該取引を構成する搬送元履歴情報の金種別枚数と一致しない場合、該戻入入金取引および／または該手許入金取引が現金違算の原因となる可能性があることを示す情報を記憶部に記憶させるようにした。【選択図】        図１
2008225782.tif 000002
【特許請求の範囲】
【請求項１】
紙幣や硬貨の現金を計数して送り出す搬送元ユニットと、その搬送元ユニットから受取った現金を計数する搬送先ユニットとを備え、係員の操作を操作表示部で受け付けて取引を実行する現金管理装置において、
実行した取引の種別を示す取引内容およびその取引で扱った現金の金種別枚数を示す情報からなる取引履歴情報を記憶する記憶部と、
実行された取引を構成する処理を示す処理内容に関連付けて送り出した現金の金種別枚数を示す情報からなり、搬送元ユニットの記憶手段に記憶された搬送元履歴情報と、
実行された取引を構成する処理を示す処理内容に関連付けて搬送元ユニットから受取った現金の金種別枚数を示す情報からなり、搬送先ユニットの記憶手段に記憶された搬送先履歴情報とを設け、
実行された取引の前記取引履歴情報の金種別枚数と、該取引を構成する前記搬送元履歴情報の金種別枚数と、該取引を構成する前記搬送先履歴情報の金種別枚数とを比較し、一致しない取引を抽出し、抽出された取引の後に行なわれ、該取引で扱った現金を搬送元ユニットに戻す戻入入金取引の金種別枚数および／または計数することができない現金をポスト部に投函する手許入金取引の金種別枚数を前記取引履歴情報から抽出して合算し、その合算された金種別枚数が該取引を構成する前記搬送元履歴情報の金種別枚数と一致しない場合、該戻入入金取引および／または該手許入金取引が現金違算の原因となる可能性があることを示す情報を記憶部に記憶させるようにしたことを特徴とする現金管理装置。
【請求項２】
請求項１の現金管理装置において、
操作表示部に、現金違算の原因となる可能性がある戻入入金取引および／または該手許入金取引が存在することを報知する情報を表示させるようにしたことを特徴とする現金管理装置。
【請求項３】
請求項１または請求項２の現金管理装置において、
操作表示部に、現金違算の原因となる可能性がある戻入入金取引および／または該手許入金取引を示す情報を表示させるようにしたことを特徴とする現金管理装置。
【請求項４】
請求項３の現金管理装置において、
前記現金違算の原因となる可能性がある戻入入金取引および／または該手許入金取引を示す情報を、前記取引履歴情報、前記搬送元履歴情報、および搬送先履歴情報からなる現金違算検出テーブルとしたことを特徴とする現金管理装置。
【発明の詳細な説明】
【技術分野】
【０００１】
本発明は、銀行等の金融機関の営業店に設置され、紙幣や硬貨の現金を取扱う現金管理装置に関し、特に現金処理の履歴を管理する現金管理装置に関する。
【背景技術】
【０００２】
従来の現金管理装置は、装填された現金や入金された現金と出金された現金とを加減して計上し、装置内の現金の有高を示す有高データを保持するようにしている。
また、定期的（例えば、１０日または７日に一度）に装置内に存在するすべての現金を計数し、その計数結果と有高データとを照合する精査を行い、装置内の現金量と有高データとが一致することを確認するようにしている。
【０００３】
しかし、現金の搬送中に詰まり等の障害が発生した場合、係員の操作により詰まった現金等を除去し、所定の現金収納庫へ収納させる必要があるところ誤操作等により有高データと装置内の現金量とが一致しなくなる現金違算が発生することがある。
このような現金違算の原因の追求を容易にするため、精査時に障害履歴をジャーナルに記録させるようにしているものがある（例えば、特許文献１参照）。
【特許文献１】特開２０００−２６８２３０号公報（段落「００３７」〜段落「００４６」、図４）
【発明の開示】
【発明が解決しようとする課題】
【０００４】
しかしながら、現金管理装置は、現金の入金や出金等の取引を最優先させる必要があるため、現金の搬送中に詰まり等の障害が発生した場合であっても係員の操作によりその現金を除去して装置を復旧させ次の取引を優先させて行い、その取引が終了した後に障害の原因となった現金を所定の現金収納庫へ収納させる場合もある。
このような場合、係員の誤操作は必ずしも障害の直後に発生するものでなく、上述した従来の技術では、過去に発生した障害を遡って調査する必要があり、現金違算の原因を追求するために多大な労力を必要とするという問題がある。
【０００５】
また、上述した従来の技術では、係員は精査を行うまで現金違算が発生していることを知ることができないという問題もある。
本発明は、このような問題を解決することを課題とする。
【課題を解決するための手段】
【０００６】
そのため、本発明は、紙幣や硬貨の現金を計数して送り出す搬送元ユニットと、その搬送元ユニットから受取った現金を計数する搬送先ユニットとを備え、係員の操作を操作表示部で受け付けて取引を実行する現金管理装置において、実行した取引の種別を示す取引内容およびその取引で扱った現金の金種別枚数からなる取引履歴情報を記憶する記憶部と、実行された取引を構成する処理を示す処理内容に関連付けて送り出した現金の金種別枚数からなり、搬送元ユニットの記憶手段に記憶された搬送元履歴情報と、実行された取引を構成する処理を示す処理内容に関連付けて搬送元ユニットから受取った現金の金種別枚数からなり、搬送先ユニットの記憶手段に記憶された搬送先履歴情報とを設け、実行された取引の前記取引履歴情報の金種別枚数と、該取引を構成する前記搬送元履歴情報の金種別枚数と、該取引を構成する前記搬送先履歴情報の金種別枚数とを比較し、一致しない取引を抽出し、抽出された取引の後に行なわれ、該取引で扱った現金を搬送元ユニットに戻す戻入入金取引の金種別枚数および／または計数することができない現金をポスト部に投函する手許入金取引の金種別枚数を前記取引履歴情報から抽出して合算し、その合算された金種別枚数が該取引を構成する前記搬送元履歴情報の金種別枚数と一致しない場合、該戻入入金取引および／または該手許入金取引が現金違算の原因となる可能性があることを示す情報を記憶部に記憶させるようにしたことを特徴とする。
【発明の効果】
【０００７】
このようにした本発明は、係員の誤操作が障害を発生させた取引の直後に発生していない場合であっても、現金違算の原因を容易に追求することができるという効果が得られる。また、係員は精査時でなくても現金違算の発生を知ることができるようになるという効果が得られる。
【発明を実施するための最良の形態】
【０００８】
以下、図面を参照して本発明による現金管理装置の実施例を説明する。
【実施例】
【０００９】
図１は実施例における現金管理装置の構成を示す図、図２は実施例における現金管理装置の制御系の構成を示すブロック図である。
図１および図２において、１は現金管理装置であり、銀行や郵便局等の金融機関の営業店等に設置され、金融機関のオペレータの操作により、紙幣や硬貨の現金の入金、出金および両替等の取引を行うものである。また、上述した精査を行うことができるようになっている。
【００１０】
２は操作表示部であり、液晶ディスプレイ等の表示画面とその表示画面上に配置されたタッチパネル等で構成され、金融機関の係員が行う業務を選択するための業務選択画面、各種情報の入力を行う入力画面や計数した現金の金額等を表示し、また係員の操作を受け付けるものである。
また、通常のキーボードや操作の終了を指示する「完了」キー等のキーで構成された係員の操作を受け付ける入力部も設けられている。
【００１１】
さらに、図示しないカード読取り機構を備えたカードリーダ部を設け、係員の操作により係員カード等のカードの磁気ストライプやＩＣチップ等に記録された情報を読取ることができるようになっている。
３は紙幣入出金部であり、１万円紙幣、５０００円紙幣、２０００円紙幣、ならびに１０００円紙幣の入金処理および出金処理を行うものである。
【００１２】
４は施封小束支払部であり、所定の枚数の紙幣を金種毎に束ねて紙帯等で施封した小束として収納するとともにその小束を払い出すものである。この施封小束支払部４は紙幣を搬送する紙幣搬送路で接続された紙幣入出金部３から紙幣を受け取り、その紙幣を金種毎に束ねて紙帯等で施封して払出すことができるようになっている。
５は新券払出部であり、予め収納庫に収納された流通していない紙幣（新券）を出金処理するものである。
【００１３】
６は補充回収部であり、キャッシュコーナ等に設置される現金自動預払機に装着可能な補充回収カセットに現金の補充および補充回収カセットに収納された現金の回収を行うものである。この補充回収部６は紙幣搬送路で接続された紙幣入出金部３から紙幣を受け取り補充回収カセットに紙幣を補充することができるようになっており、また補充回収カセットに収納された紙幣を紙幣入出金部３へ送り出して紙幣の回収ができるようになっている。
【００１４】
７は硬貨入出金部であり、５００円硬貨、１００円硬貨、５０円硬貨、１０円硬貨、５円硬貨、ならびに１円硬貨の入金処理および出金処理を行うものである。
ここで、出金処理とは係員の操作により予め決められた枚数の紙幣および硬貨をそれぞれ紙幣入出金部３および硬貨入出金部７の金庫から繰り出して計数し紙幣入出金口および硬貨入出金口に搬送して係員に払い出すことである。また、入金処理とは係員により紙幣入出金口に投入された紙幣を紙幣入出金部３で計数して金庫に収納し、硬貨入出金口に投入された硬貨を硬貨入出金部７で計数して金庫に収納することである。
【００１５】
８は棒金支払部であり、所定の枚数の硬貨を金種毎に積み重ねて棒状にまとめた棒金を収納するとともにその棒金を払い出すものである。この棒金支払部８は硬貨を搬送する硬貨搬送路で接続された硬貨入出金部７から受け渡された硬貨を棒金として収納するとともにその棒金を払い出すことができるようになっている。
９はレシートプリンタ部であり、レシート（明細票）に文字等を印刷する印刷機構を備えたものである。このレシートプリンタ部９は現金管理装置１で行った出金、入金および両替等の処理の結果をレシートに印刷する。
【００１６】
１２はポスト部であり、現金の投入を受け付けるものである。このポスト部１２は、例えば紙幣入出金部３や硬貨入出金部７で計数することができない現金の投函を受け付けるものである。
１３は認証プリンタ部であり、顧客に発行する伝票等を印刷するものである。
図２において、１０は記憶部であり、半導体メモリや磁気ディスク等で構成され情報を記憶し、記憶した情報を読取ることができるものである。この記憶部１０には現金管理装置１全体の動作を制御する制御プログラム（ソフトウェア）、操作表示部２に表示する画面データ、および後述する電子ジャーナル、現金違算検出テーブル等を記憶する。
【００１７】
１１は制御部であり、ＣＰＵ（Ｃｅｎｔｒａｌ  Ｐｒｏｃｅｓｓｉｎｇ  Ｕｎｉｔ）等の演算手段、ならびに制御手段、および処理手段等で構成されたものである。この制御部１１は、操作表示部２、紙幣入出金部３、施封小束支払部４、新券支払部５、補充回収部６、硬貨入出金部７、棒金支払部８、レシートプリンタ部９、認証プリンタ部１３、記憶部１０、および図示しない通信部を含めて現金管理装置１全体の動作を記憶部１０に格納された制御プログラム（ソフトウェア）に基づいて制御する。
【００１８】
このように現金管理装置１は操作表示部２、紙幣入出金部３、施封小束支払部４、新券支払部５、補充回収部６、硬貨入出金部７、棒金支払部８、レシートプリンタ部９、認証プリンタ部１３、記憶部１０、および制御部１１等で構成されたものである。
次に、現金管理装置１の処理の流れを図３の実施例における現金管理装置の処理の流れを示す説明図に基づいて説明する。
【００１９】
図３において、３１は媒体搬送元ユニットであり、紙幣入出金部３、補充回収部６、硬貨入出金部７等の媒体を送り出す搬送元となるものである。なお、媒体とは、紙幣および／または硬貨をいうものとする。
３２は媒体搬送先ユニットであり、紙幣入出金部３、施封小束支払部４、補充回収部６、硬貨入出金部７、棒金支払部８等の媒体搬送元ユニット３１から送り出された媒体を受取る搬送先となるものである。
【００２０】
例えば、紙幣の施封を行う場合、媒体搬送元ユニット３１は紙幣入出金部３になり、媒体搬送先ユニット３２は施封小束支払部４になる。また、紙幣の回収を行う場合、媒体搬送元ユニット３１は補充回収部６になり、媒体搬送先ユニット３２は紙幣入出金部３になる。さらに、硬貨の棒金を作成する場合、媒体搬送元ユニット３１は硬貨入出金部７になり、媒体搬送先ユニット３２は棒金支払部８になる。
【００２１】
媒体搬送元ユニット３１および媒体搬送先ユニット３２はＣＰＵ等の制御手段やメモリ等の記憶手段等を備え、媒体搬送元ユニット３１は、その記憶手段に後述する媒体搬送元の搬送履歴ログ４１を生成して記憶し、媒体搬送先ユニット３２は、その記憶手段に後述する媒体搬送先の搬送履歴ログ４２を生成して記憶する。
制御部１１は取引の履歴である電子ジャーナル４３を生成し、その電子ジャーナル４３と媒体搬送元ユニット３１から通知された媒体搬送元の搬送履歴ログ４１および媒体搬送先ユニット３２から通知された媒体搬送先の搬送履歴ログ４２から現金違算検出用の現金違算検出テーブル４４を作成して記憶部１０に記憶させる。なお、制御部１１は電子ジャーナル４３も記憶部１０に記憶させるものとする。
【００２２】
また、媒体搬送元および媒体搬送先の搬送履歴ログの関係を図４の実施例における媒体搬送履歴ログの関係の説明図に基づいて説明する。
図４は媒体搬送元ユニット３１から媒体搬送先ユニット３２へ媒体が搬送されるときに媒体のつまり等の障害が発生した時の状態を示し、媒体搬送元ユニット３１の搬送履歴ログ４１に万円紙幣７０枚が媒体搬送先ユニット３２へ搬出されたことが記録され、媒体搬送先ユニット３２の搬送履歴ログ４２に万円紙幣６０枚が搬入されたことが記録されていることを示している。
【００２３】
したがって、媒体搬送元ユニット３１と媒体搬送先ユニット３２とを接続する媒体搬送路に万円紙幣１０枚が残留していることを示している。
次に、電子ジャーナル４３、媒体搬送元の搬送履歴ログ４１、媒体搬送先の搬送履歴ログ４２、および現金違算検出テーブル４４を図５の実施例における電子ジャーナルの説明図、図６の実施例における媒体搬送元の搬送履歴ログの説明図、図７の実施例における媒体搬送先の搬送履歴ログの説明図、図８の実施例における現金違算検出テーブル（電子ジャーナル）の説明図、図９の実施例における現金違算検出テーブル（媒体搬送元）の説明図、図１０の実施例における現金違算検出テーブル（媒体搬送先）の説明図に基づいて説明する。
【００２４】
図５において、電子ジャーナル４３は現金管理装置１が行う取引の履歴情報（取引履歴情報）であり、取引を行った日付４３１、時間４３２、取引内容４３３、取引で扱った合計金額４３４、取引で扱った現金の金種別枚数４３５、取引の結果を示す取引結果４３６で構成されている。
例えば、図５の最上段に記録されている取引の履歴情報は日付４３１が「０６．０９．０１」（２００６年９月１日）、時間４３２が「９：００」、取引内容４３３が「出金」、合計金額４３４が「３２，５００」、取引金額の金種別枚数４３５が「万：３、千：２、五百：１（その他：０）」、取引結果４３６が「ＯＫ」であることを示している。
【００２５】
ここで、取引内容４３３の「出金」はオペレータの操作により指定された金額の現金を紙幣入出金部３および／または硬貨入出金部７が払い出す出金取引を示し、「入金」はオペレータの操作により投入された現金を紙幣入出金部３および／または硬貨入出金部７が計数して金庫に収納する入金取引を示し、「自動施封」は紙幣入出金部３から所定の枚数の紙幣を施封小束支払部４へ搬送し、施封する自動施封取引を示し、「戻入入金」は紙幣入出金部３や硬貨入出金部７から現金が搬出される取引（例えば出金取引）において媒体詰まり等の障害が発生した後、その障害を復旧させるための操作において装置外へ取り出した紙幣を装置内に戻すための戻入入金取引を示し、「手許入金」は紙幣入出金部３や硬貨入出金部７から現金が搬出される取引（例えば出金取引）において媒体詰まり等の障害が発生した後、その障害を復旧させるための操作において装置外へ取り出した紙幣が破損等により戻入入金取引が行えない場合にその紙幣をポスト部１２へ投入し、操作表示部２でその金額を入力する取引を示している。
【００２６】
また、取引結果４３６は、「ＯＫ」で取引が正常終了したことを示し、「ＮＧ」で取引が異常終了したことを示す。
図６において、媒体搬送元の搬送履歴ログ４１（搬送元履歴情報）は媒体搬送元ユニット（例えば紙幣入出金部３）が行う処理の履歴情報であり、処理を行った日付４１１、時間４１２、取引を構成する処理を示す処理内容４１３、計数を行った部位を示す計数部４１４、搬送した現金の金種別枚数４１５、処理の結果を示す処理結果４１６で構成されている。
【００２７】
例えば、図６の最上段に記録されている処理の搬送履歴情報は日付４１１が「０６．０９．０１」（２００６年９月１日）、時間４１２が「９：００」、処理内容４１３が「出金」、計数部４１４が「出」、搬送した現金の金種別枚数４１５が「万：３、千：２、五百：１（その他：０）」、処理結果４１６が「ＯＫ」であることを示している。
ここで、処理内容４１３の「出金」は出金取引にともなう出金処理を示し、「入金」は入金取引にともなう入金処理を示し、「自動施封」は自動施封取引にともなう出金処理を示し、「戻入入金」は戻入入金取引にともなう入金処理を示している。
【００２８】
また、計数部４１４の「出」は出金部、「入」は入金部が計数したことを示し、処理結果４１６は、「ＯＫ」で処理が正常終了したことを示し、「ＮＧ」で処理が異常終了したことを示している。
図７において、媒体搬送先の搬送履歴ログ４２（搬送先履歴情報）は媒体搬送先ユニット（例えば施封小束支払部４）が行う処理の履歴情報であり、処理を行った日付４２１、時間４２２、取引を構成する処理を示す処理内容４２３、計数を行った部位を示す計数部４２４、搬送された現金の金種別枚数４２５、処理の結果を示す処理結果４２６で構成されている。
【００２９】
例えば、図７の最上段に記録されている処理の搬送履歴情報は日付４２１が「０６．０９．０１」（２００６年９月１日）、時間４２２が「９：０６」、処理内容４２３が「自動施封」、計数部４２４が「入」、搬送した現金の金種別枚数４２５が「万：６０（その他：０）」、処理結果４２６が「ＮＧ」であることを示している。
ここで、処理内容４２３は処理内容４１３と、計数部４２４は計数部４１４と、処理結果４２６は処理結果４１６と同様であるのでその説明を省略する。
【００３０】
図８、図９、および図１０において、現金違算検出テーブル４４は現金違算を検出するための情報テーブルであり、行番号４４１、現金違算可能性フラグ４４２、取引を行った日付４４３、時間４４４、取引内容４４５、取引で扱った合計金額４４６、取引で扱った現金の金種別枚数４４７、取引の結果を示す取引結果４４８、搬送元ユニット４４９、搬送元ユニットが処理を行った時間４５０、処理内容４５１、計数を行った部位を示す計数部４５２、搬送した現金の金種別枚数４５３、処理の結果を示す処理結果４５４、搬送先ユニット４５５、搬送先ユニットが処理を行った時間４５６、処理内容４５７、計数を行った部位を示す計数部４５８、搬送された現金の金種別枚数４５９、処理の結果を示す処理結果４６０、搬送元ユニットに戻すべき現金の金種別枚数４６１、戻し対象取引行番号４６２で構成されている。
【００３１】
行番号４４１は制御部１１が付与する通番等の番号であり、現金違算可能性フラグ４４２は「０」で現金違算の可能性なし、「１」で現金違算の可能性ありを示している。
日付４４３、時間４４４、取引内容４４５、取引で扱った合計金額４４６、取引で扱った現金の金種別枚数４４７、取引の結果を示す取引結果４４８はそれぞれ電子ジャーナル４３の取引を行った日付４３１、時間４３２、取引内容４３３、取引で扱った合計金額４３４、取引で扱った現金の金種別枚数４３５、取引の結果を示す取引結果４３６と同じである。
【００３２】
搬送元ユニット４４９は紙幣入出金部３等の搬送元ユニットを示し、搬送元ユニットが処理を行った時間４５０、処理内容４５１、計数を行った部位を示す計数部４５２、搬送した現金の金種別枚数４５３、処理の結果を示す処理結果４５４はそれぞれ搬送元ユニットが処理を行った時間４１２、処理内容４１３、計数を行った部位を示す計数部４１４、搬送した現金の金種別枚数４１５、処理の結果を示す処理結果４１６と同様である。
【００３３】
搬送先ユニット４５５は施封小束支払部４等の搬送先ユニットを示し、搬送先ユニットが処理を行った時間４５６、処理内容４５７、計数を行った部位を示す計数部４５８、搬送された現金の金種別枚数４５９、処理の結果を示す処理結果４６０はそれぞれ搬送先ユニットが処理を行った時間４２２、処理内容４２３、計数を行った部位を示す計数部４２４、搬送された現金の金種別枚数４２５、処理の結果を示す処理結果４２６と同様である。
【００３４】
なお、図８、図９、および図１０において、空白の欄は履歴情報が存在しないことを示すものとする。
上述した構成の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
【００３５】
まず、オペレータが行う操作を図１１の実施例におけるオペレータの操作を示すフローチャートのＳで表すステップにしたがって説明する。
Ｓ１ａ：オペレータは現金管理装置１の電源を投入し、業務が終了するまで各種取引を行う。
Ｓ２ａ：業務が終了するとオペレータは図１４に示すように操作表示部２に表示される操作画面５０に現金違算の可能性があることを示す「現金違算」ボタン５１が表示されているか否かを判定する。表示されている場合は処理をＳ４ａへ移行させ、一方表示されていない場合は処理をＳ３ａへ移行させる。
【００３６】
Ｓ３ａ：「現金違算可能性マーク」が表示されていない場合、オペレータは現金管理装置１の操作を終了する。
Ｓ４ａ：「現金違算」ボタン５１が表示されている場合、オペレータはその「現金違算」ボタン５１を押下する。「現金違算」ボタン５１の押下を検知すると操作表示部２は制御部１１の指示により図１５に示すように現金違算検出テーブル４４を表示する。
【００３７】
ここで、操作表示部２に表示された現金違算検出テーブル４４の行番号３の全部、および行番号５の追加情報２の一部である戻し取引対象行番号４６２が青色に着色されて表示され、行番号５の青色で着色された部分以外の部分、および行番号６の全部が黄色で着色されているものとする。
Ｓ５ａ：オペレータは表示された現金違算検出テーブル４４から黄色に着色された現金違算可能性フラグ４４２が「１」である取引内容４４６等を確認する。
【００３８】
Ｓ６ａ：次に、オペレータは黄色に着色された戻し対象取引番号４６２で示される取引内容４４６等を確認する。
Ｓ７ａ：このようにして現金違算の原因となった取引（操作）を特定する。
Ｓ８ａ：現金違算の原因となった取引（操作）を特定するとオペレータは現金違算に対する処置を行い、操作を完了するものとする。
【００３９】
次に、上述した現金違算検出テーブル４４の作成処理を図１２、図１３の実施例における現金違算検出テーブルの作成処理を示すフローチャートのＳで表すステップにしたがって説明する。
なお、本処理において搬送元ユニットを紙幣入出金部３、搬送先ユニットを施封小束支払部４として説明する。
【００４０】
Ｓ１ｂ：制御部１１は取引が行われる毎に電子ジャーナル４３を取得する（記憶部１０に記憶させる）。
Ｓ２ｂ：紙幣入出金部３は入金や出金等の処理が行われる毎に媒体搬送元の搬送履歴ログ４１を取得する。
Ｓ３ｂ：施封小束支払部４は自動施封等の処理が行われる毎に媒体搬送先の搬送履歴ログ４２を取得する。
【００４１】
Ｓ４ｂ：制御部１１は電源投入直後であること、または紙幣入出金部３もしくは施封小束支払部４から搬送履歴ログ４１、４２を記憶する記憶手段の領域が満杯になった旨の通知を受けたことを検知する。
電源投入直後でなく、記憶手段の領域が満杯になった旨の通知を受けていない場合、処理をＳ１ｂへ移行し、また電源投入直後、または記憶手段の領域が満杯になった旨の通知を受けた場合、処理をＳ５ｂへ移行する。
【００４２】
なお、電源投入直後、または記憶手段の領域が満杯になった旨の通知を受けた場合だけでなく、取引が終了する度にＳ５ｂへ移行するようにしてもよい。
Ｓ５ｂ：制御部１１は紙幣入出金部３から媒体搬送元の搬送履歴ログ４１を受信する。
Ｓ６ｂ：制御部１１は施封小束支払部４から媒体搬送先の搬送履歴ログ４２を受信する。
【００４３】
Ｓ７ｂ：制御部１１は受信した搬送履歴ログ４１、搬送履歴ログ４２、および記憶部１０に記憶させた電子ジャーナル４３から現金違算検出テーブル４４を作成する。
ここで、現金違算検出テーブル４４を作成する処理を図１３のＳで表すステップにしたがって説明する。
Ｓ１ｃ：制御部１１は電子ジャーナル４３の日付４３１、時間４３２、取引内容４３３、合計金額４３４、金種別枚数４３５、取引結果４３６をそれぞれ現金違算検出テーブル４４の日付４４３、時間４４４、取引内容４４５、合計金額４４６、金種別枚数４４７、取引結果４４８に当てはめて記憶部１０に記憶させる。
【００４４】
このとき、制御部１１は現金違算検出テーブル４４に行番号４４１を付加するものとする。
Ｓ２ｃ：次に、制御部１１は現金違算検出テーブル４４の日付４４３、時間４４４、取引内容４４５と媒体搬送元の搬送履歴ログ４１の日付４１１、時間４１２、取引内容４１３とを突き合わせて該当する現金違算検出テーブル４４の時間４５０、処理内容４５１、計数部４５２、金種別枚数４５３、処理結果４５４に媒体搬送元の搬送履歴ログ４１の時間４１２、処理内容４１３、計数部４１４、金種別枚数４１５、処理結果４１６をそれぞれ当てはめて記憶部１０に記憶させる。
【００４５】
このとき、制御部１１は搬送元ユニット４４９に媒体搬送元の搬送履歴ログ４１を取得した部位（例えば、紙幣入出金部）を付加して記憶部１０に記憶させる。
Ｓ３ｃ：次に、制御部１１は現金違算検出テーブル４４の日付４４３、時間４４４、取引内容４４５と媒体搬送先の搬送履歴ログ４２の日付４２１、時間４２２、取引内容４２３とを突き合わせて該当する現金違算検出テーブル４４の時間４５６、処理内容４５７、計数部４５８、金種別枚数４５９、処理結果４６０に媒体搬送先の搬送履歴ログ４２の時間４２２、処理内容４２３、計数部４２４、金種別枚数４２５、処理結果４２６をそれぞれ当てはめて記憶部１０に記憶させる。
【００４６】
このとき、制御部１１は搬送先ユニット４５５に媒体搬送先の搬送履歴ログ４２を取得した部位（例えば、施封小束支払部）を付加して記憶部１０に記憶させる。
Ｓ４ｃ：制御部１１は現金違算検出テーブル４４の行番号４４１毎に電子ジャーナルの金種別枚数４４７と、媒体搬送元の金種別枚数４５３と、媒体搬送先の金種別枚数４５９とを比較し、すべてが一致しているか否かを判定し、一致しない取引を検出する。
【００４７】
一致しない取引を検出すると処理をＳ５ｃへ移行し、一致しない取引を検出しないときは処理を終了する。
Ｓ５ｃ：一致しない取引を検出すると制御部１１は現金違算検出テーブル４４の当該行番号４４１における戻すべき金種別枚数４６１に媒体搬送元の金種別枚数４５３を複写するとともに当該行が操作表示部２で表示したときに青色で表示されるようにする情報を付加し記憶部１０に記憶させる。
【００４８】
例えば、図８、図９、図１０における行番号「３」の戻すべき金種別枚数４６１に媒体搬送元の金種別枚数４５３を複写するとともに当該行が操作表示部２で表示したときに青色で表示されるようにする情報を付加し記憶部１０に記憶させる。
Ｓ６ｃ：制御部１１は現金違算検出テーブル４４の行番号４４１毎に電子ジャーナルの取引内容４４５が「戻入入金」であるか否かを判定する。
【００４９】
取引内容４４５が「戻入入金」であると判定されると処理をＳ７ｃへ移行し、一方「戻入入金」でないと判定されると処理をＳ８ｃへ移行する。
Ｓ７ｃ：取引内容４４５が「戻入入金」であると判定されると制御部１１は現金違算検出テーブル４４の当該行番号４４１における戻し対象取引行番号４６２に、電子ジャーナルの取引内容４４５が前回の「戻入入金」または「精査」を示す取引の間に戻すべき金種別枚数４６１が「０」でない（いずれかの金種が「０」でない）行番号４４１を付加するとともに操作表示部２で表示したときに戻し対象取引行番号４６２の欄だけが青色で表示されるようにする情報を付加し記憶部１０に記憶させる。
【００５０】
例えば、図８、図９、図１０における行番号「５」の戻し対象取引行番号４６２に、電子ジャーナルの取引内容４４５が前回の「戻入入金」または「精査」を示す取引の間に戻すべき金種別枚数４６１が「０」でない（いずれかの金種が「０」でない）行番号「３」を付加するとともに操作表示部２で表示したときに戻し対象取引行番号４６２の欄だけが青色で表示されるようにする情報を付加し記憶部１０に記憶させる。
【００５１】
Ｓ８ｃ：制御部１１は電子ジャーナルの取引内容４４５が「戻入入金」である金種別枚数４４７と戻し対象取引行番号４６２が示す行番号４４１の戻すべき金種別枚数４６１とを比較し、一致するか否かを判定する。
一致すると判定されると処理を終了し、一方一致しないと判定されると処理をＳ９ｃへ移行する。
【００５２】
Ｓ９ｃ：制御部１１は電子ジャーナルの取引内容４４５が「戻入入金」の取引の次に行われた取引の取引内容４４５が「手許入金」であり、かつ戻入入金取引の金種別枚数４４７と次に行われた手許入金取引の金種別枚数４４７の合算が戻し対象取引行番号４６２が示す行番号４４１の戻すべき金種別枚数４６１、すなわち媒体搬送元の金種別枚数４５３と一致するか否かを判定する。
【００５３】
判定の結果、「戻入入金」の取引の次に行われた取引の取引内容４４５が「手許入金」であって、かつ戻入入金取引の金種別枚数４４７と次に行われた手許入金取引の金種別枚数４４７の合算が戻し対象取引行番号４６２が示す行番号４４１の戻すべき金種別枚数４６１と一致しない場合、処理をＳ１０ｃへ移行し、一方そうでない場合、処理を終了する。
【００５４】
Ｓ１０ｃ：制御部１１は現金違算検出テーブル４４の取引内容４４５が「戻入入金」および「手許入金」の行番号４４１における現金違算可能性フラグ４４２を「１」にするとともに当該行が操作表示部２で表示したときに黄色で表示されるようにする情報を付加し記憶部１０に記憶させる。
例えば、図８、図９、図１０における行番号「５」および「６」の現金違算可能性フラグ４４２を「１」にするとともに当該行が操作表示部２で表示したときに黄色で表示されるようにする情報を付加し記憶部１０に記憶させる。
【００５５】
このようにして制御部１１は現金違算検出テーブル４４を作成し、記憶部１０に記憶させるとともにその現金違算検出テーブル４４の現金違算可能性フラグ４４２に「１」が存在する場合、操作表示部２に表示される操作画面５０に現金違算の可能性があることを示す「現金違算」ボタン５１を表示するように指示する。これにより現金違算の可能性があることをオペレータへ報知することができるようになる。
【００５６】
以上説明したように、本実施例では、現金違算の可能性がある取引を抽出して操作表示部に表示させるようにしたことにより、係員の誤操作が障害を発生させた取引の直後に発生していない場合であっても、現金違算の原因を追求することを容易にすることができるという効果が得られる。
また、現金違算が発生した可能性があることを操作表示部に表示するようにしたことにより、オペレータは精査時でなくても現金違算の発生を知ることができるようになり、現金違算に対する処置を迅速に行うことができるようになるという効果が得られる。
【００５７】
なお、本実施例では、媒体搬送元ユニットおよび媒体搬送先ユニットを現金管理装置１の紙幣入出金部３や施封小束支払部４等としたが、例えば紙幣入出金部３を媒体搬送元ユニットおよび媒体搬送先ユニットに細分化することで現金自動預払機や自動券売機等の自動取引装置にも本発明を適用することが可能になる。
【図面の簡単な説明】
【００５８】
【図１】実施例における現金管理装置の構成を示す図
【図２】実施例における現金管理装置の制御系の構成を示すブロック図
【図３】実施例における現金管理装置の処理の流れを示す説明図
【図４】実施例における媒体搬送履歴ログの関係の説明図
【図５】実施例における電子ジャーナルの説明図
【図６】実施例における媒体搬送元の搬送履歴ログの説明図
【図７】実施例における媒体搬送先の搬送履歴ログの説明図
【図８】実施例における現金違算検出テーブル（電子ジャーナル）の説明図
【図９】実施例における現金違算検出テーブル（媒体搬送元）の説明図
【図１０】実施例における現金違算検出テーブル（媒体搬送先）の説明図
【図１１】実施例におけるオペレータの操作を示すフローチャート
【図１２】実施例における現金違算検出テーブルの作成処理を示すフローチャート
【図１３】実施例における現金違算検出テーブルの作成処理を示すフローチャート
【図１４】実施例における取引メニュー表示画面の説明図
【図１５】実施例における現金違算検出テーブル表示画面の説明図
【符号の説明】
【００５９】
１    現金管理装置
２    操作表示部
３    紙幣入出金部
４    施封小束支払部
５    新券支払部
６    補充回収部
７    硬貨入出金部
８    棒金支払部
９    レシートプリンタ部
１０  記憶部
１１  制御部
１２  ポスト部
１３  認証プリンタ部
【図１】
2008225782.tif 000003
【図２】
2008225782.tif 000004
【図３】
2008225782.tif 000005
【図４】
2008225782.tif 000006
【図５】
2008225782.tif 000007
【図６】
2008225782.tif 000008
【図７】
2008225782.tif 000009
【図８】
2008225782.tif 000010
【図９】
2008225782.tif 000011
【図１０】
2008225782.tif 000012
【図１１】
2008225782.tif 000013
【図１２】
2008225782.tif 000014
【図１３】
2008225782.tif 000015
【図１４】
2008225782.tif 000016
【図１５】
2008225782.tif 000017